(57)【要約】      （修正有）【課題】さらなる小型化に対応することが可能なカード用コネクタを提供する。【解決手段】カード用コネクタ１は、開口１０Ａを通じてカード２が挿抜されるハウジングと、ハウジングの開口１０Ａからカード２が引き出される向きＡにカード２を押しながら、カード２の引き出される向きＡに沿って移動可能なスライダ１４と、ハウジング１０の開口１０Ａの外側から把持することが可能な把持部１５と、スライダ１４および把持部１５を連結する連結部１６とを備える。【選択図】図３
2017091672.tif 000002
【特許請求の範囲】
【請求項１】
開口を通じてカードが挿抜されるハウジングと、
前記ハウジングの前記開口から前記カードが引き出される向きに前記カードを押しながら前記引き出される向きに沿って移動可能なスライダと、
前記ハウジングの前記開口の外側から把持することが可能な把持部と、
前記スライダおよび前記把持部を連結する連結部と、を備える、
ことを特徴とするカード用コネクタ。
【請求項２】
前記スライダおよび前記把持部は、前記引き出される向きにおいて前記カードを間に挟んで離間し、
前記連結部は、柔軟性または可撓性を有し、
前記引き出される向きにおける前記カードの長さ以上である、
ことを特徴とする請求項１に記載のカード用コネクタ。
【請求項３】
前記ハウジングは、
前記カードの両面のうち一方の面に位置する端子に導通されるコンタクトを保持するハウジング本体と、
前記カードの他方の面に対向するシェルと、を有し、
前記シェルには、前記連結部の端部と前記スライダとの結合部が位置するシェル開口が形成され、
前記連結部は、前記シェル開口に通されることで、前記ハウジングの外側に配置されている、
ことを特徴とする請求項１または２に記載のカード用コネクタ。
【請求項４】
前記把持部は、前記カード用コネクタが搭載される機器の筐体の内外を貫通する貫通開口を塞ぐ蓋である、
ことを特徴とする請求項１から３のいずれか一項に記載のカード用コネクタ。
【請求項５】
前記把持部は、弾性材料からなり、前記筐体における前記貫通開口の周縁部に密着する、
ことを特徴とする請求項４に記載のカード用コネクタ。
【発明の詳細な説明】
【技術分野】
【０００１】
本発明は、カードと導通されるコンタクトを備え、カードの排出機能を有するカード用コネクタに関する。
【背景技術】
【０００２】
携帯電話やスマートフォン等の電子機器に挿抜されるメモリカードやＳＩＭカード（Subscriber Identity Module Card）等のカードは、機器の小型化や薄型化に伴って、小型化が促進されている。かかるカードは、機器における所定の位置に収容され、カード用コネクタのコンタクトと導通される。
小型のカードを電子機器から取り外す際には、カードを直接把持して機器から引き出すことが難しい。そのため、カードを載せたトレイを引き出すトレイタイプのコネクタや、ピン孔にピンを押し込むことでカードが引き出されるピンプッシュタイプのコネクタ（特許文献１）等が採用されている。
【０００３】
特許文献１のカード用コネクタは、カードを排出する第１スライダと、イジェクトピンに押圧される第２スライダと、第１スライダおよび第２スライダを連結する連結帯とを備えている。外部からイジェクトピンをピン孔に挿入して第２スライダを押し込むと、連結帯を介して第１スライダが第２スライダとは逆向きに動くことで、カードが引き出される。
【先行技術文献】
【特許文献】
【０００４】
【特許文献１】特開２０１４−２３５９３８号公報
【発明の概要】
【発明が解決しようとする課題】
【０００５】
トレイタイプの場合、カードを載せるトレイを収容するスペースが必要となるので、カード用コネクタのさらなる小型化に対応することが難しい。
また、ピンプッシュタイプの場合、ピンや、ピンを押し込む力を逆向きに変換する機構を収容するスペースが必要となるので、やはり、カード用コネクタのさらなる小型化に対応することが難しい。
そこで、本発明は、さらなる小型化に対応することが可能なカード用コネクタを提供することを目的とする。
【課題を解決するための手段】
【０００６】
本発明のカード用コネクタは、開口を通じてカードが挿抜されるハウジングと、ハウジングの開口からカードが引き出される向きにカードを押しながら、カードの引き出される向きに沿って移動可能なスライダと、ハウジングの開口の外側から把持することが可能な把持部と、スライダおよび把持部を連結する連結部と、を備えることを特徴とする。
【０００７】
本発明によれば、把持部を前方へと引っ張る力が連結部を介してスライダに伝達され、スライダによりカードが同じ向きに押し出されるため、カードを排出することができる。
カードが引き出される向きにおいて後方からカードを押すスライダは、ハウジングに収まりよく組み込むことができ、このスライダと、把持部と、連結部とにより、簡素なカードの排出機構を実現できる。
本発明によれば、力の向きを変換する複雑な機構やピン、トレイ等が必要なく、最小限の構成要素により、カードを排出させる機能を有するカード用コネクタを提供することができる。したがって、カード用コネクタのコストを抑えつつ、カードや機器の小型化に対応して、カード用コネクタの小型化を促進することができる。
【０００８】
本発明のカード用コネクタでは、スライダおよび把持部は、カードの引き出される向きにおいてカードを間に挟んで離間し、連結部は、柔軟性または可撓性を有し、カードの引き出される向きにおけるカードの長さ以上であることが好ましい。
必要な長さに対して連結部の長さに余裕がある場合には、連結部を曲げて把持部をカードの前端から分離できるので、カードを容易に抜き取ることができる。
また、スライダが最大限に移動された後、さらに連結部が引っ張られたとしても、連結部の長さに余裕がある分、連結部に過大な張力が作用するのを避けることができる。
【０００９】
本発明のカード用コネクタにおいて、ハウジングは、カードの両面のうち一方の面に位置する端子に導通されるコンタクトを保持するハウジング本体と、カードの他方の面に対向するシェルと、を有し、シェルには、連結部の端部とスライダとの結合部が位置するシェル開口が形成され、連結部は、シェル開口に通されることで、ハウジングの外側に配置されていることが好ましい。
上記構成によると、カードが排出されている間も、コンタクトと連結部との間にシェルが介在しているので、連結部がコンタクトに干渉するのを避けることができる。
【００１０】
本発明における把持部は、カード用コネクタが搭載される機器の筐体の内外を貫通する貫通開口を塞ぐ蓋を兼ねることができる。
その場合に、把持部が弾性材料からなり、筐体における貫通開口の周縁部に密着することが好ましい。
【発明の効果】
【００１１】
本発明のカード用コネクタによれば、さらなる小型化に対応することが可能なカード用コネクタを提供することができる。
【図面の簡単な説明】
【００１２】
【図１】本発明の実施形態に係るカード用コネクタを示す斜視図である。
【図２】図１に示すカード用コネクタの側面を電子機器の筐体と共に示す図である。図１に示すIIの向きから、筐体を破断して示している。
【図３】図１に示すカード用コネクタにおいて、カードを排出させるための構成要素（スライダ１４、把持部１５、および連結部１６）を示す斜視図である。（ａ）は、カード用コネクタにカードが嵌合された状態を示し、（ｂ）は、カード用コネクタからカードが排出された状態を示している。
【図４】カードが抜き取られた状態のカード用コネクタを示す模式図である。図１のIV−IV線断面図である。
【図５】（ａ）は、カード用コネクタにカードが嵌合されている様子を示す平面図である、（ｂ）は、カード用コネクタからカードが引き出された様子を示す平面図である。
【図６】引き出されたカードから把持部が分離された状態を示す側面図である。
【発明を実施するための形態】
【００１３】
以下、添付図面を参照しながら、本発明の実施形態について説明する。
図１に示すカード用コネクタ１は、スマートフォン等の電子機器に搭載されており、ＳＩＭカード等であるカード２が図１に実線で示す矢印方向に挿抜される。
カード２（図３（ａ））は、記憶素子や回路等である図示しない素子本体と、素子本体を覆うケース２１とを備えている。ケース２１の裏面には、図示しない端子が設けられている。カード２の一角は、直線的にカットされたＣカット部２Ｃとなっている。
【００１４】
〔カード用コネクタの構成〕
カード用コネクタ１は、図３（ｂ）に示すように、カード２の裏面の端子と導通されるコンタクト１１と、コンタクト１１を保持するハウジング本体１２と、ハウジング本体１２に組み付けられるシェル１３（図１）と、スライダ１４と、把持部１５と、連結部１６とを備えている。
カード用コネクタ１のハウジング１０は、ハウジング本体１２と、シェル１３とから構成されている。ハウジング１０の開口１０Ａを通じてカード２がハウジング１０に挿抜される。
【００１５】
図２に示すように、カード用コネクタ１は、電子機器の筐体３の側面３Ａの近くに組み込まれる。
筐体３の内外を貫通する開口３０を介してカード２がカード用コネクタ１に挿抜される。図２、図３（ｂ）、および図５の各図に、カード用コネクタ１からカード２が引き出される向きＡを白抜きの矢印で示している。カード２が挿抜される方向（以下、挿抜方向）は、カード用コネクタ１からカード２が引き出される向きＡと、カード用コネクタ１にカード２が押し込まれる向きとに該当する。
本明細書において、カード２が引き出される向きＡにおける前方を「前」、カード２が引き出される向きＡにおける後方を「後」とそれぞれ定義する。
以下、カード用コネクタ１の各構成要素を順に説明する。
【００１６】
〔コンタクト〕
コンタクト１１（図３（ｂ））は、ハウジング本体１２の表面から少し突出しており、ハウジング本体１２の板厚方向にばね力を発生させる。コンタクト１１は、カード２の挿抜方向に沿って延在している。
カード用コネクタ１にカード２が嵌合されると、ばね力によりカード２の裏面の端子にコンタクト１１の接点１１Ａが押し付けられて接触導通される。
コンタクト１１は、銅合金等の導電率が良好な金属材料から形成されている。
【００１７】
〔ハウジング本体〕
ハウジング本体１２は、絶縁性の樹脂材料から形成されている。スライダ１４、把持部１５、および連結部１６も同様である。
ハウジング本体１２は、図３（ｂ）に示すように、複数のコンタクト１１（ここでは６つ）が配列される矩形状のプレート部１２１と、プレート部１２１の後端に位置する後端壁１２２と、後端壁１２２から前方へとプレート部１２１の端縁に沿って延在するガイドレール１２３と、ガイドレール１２３よりも前方に位置するストッパ１２４とを一体に有している。
後端壁１２２、ガイドレール１２３およびストッパ１２４はそれぞれ、プレート部１２１の両側に左右対称に配置されている。
後端壁１２２，１２２の間には、カード２が挿入されたことを検知するためのバネ１２５が配置されている。
【００１８】
一対のガイドレール１２３，１２３間の寸法は、スライダ１４の横幅に対応している。
一対のストッパ１２４，１２４間の寸法は、カード２の横幅に対応している。
ストッパ１２４，１２４には、スライダ１４の前端部１４Ｆが突き当てられる（図３（ｂ））。
【００１９】
〔シェル〕
図１に示すシェル１３は、ハウジング本体１２のプレート部１２１（図３（ｂ））よりも薄く形成されている。シェル１３は、カード２の表面２Ａを覆う平坦なシート部１３１と、ハウジング本体１２に係合される係合壁１３２とを有している。
シート部１３１は、プレート部１２１（図３（ｂ））に対して厚み方向に間隔をおいて配置されている。
シェル１３とプレート部１２１との間の空間に、カード２が収容される。そして、プレート部１２１が保持するコンタクト１１とシェル１３との間にカード２が嵌合される。
【００２０】
係合壁１３２は、図１に示すように、ハウジング本体１２の側面に重なるように、シート部１３１に対して屈曲しており、ハウジング本体１２の側面に設けられた係合突起１２１Ａに係合される係合部１３２Ａを有している。シェル１３の両側面のそれぞれにおいて、カード２の挿抜方向に間隔をおいて複数の係合部１３２Ａが設けられている。
【００２１】
シェル１３のシート部１３１には、図１に示すように、挿抜方向に沿って長い長孔１３３が、シート部１３１の厚み方向に貫通して形成されている。また、シート部１３１には、切り起こされたバネ１３４が形成されている。このバネ１３４には、カード２の挿入時にカード２により後方に押されたバネ１２５が接触導通する（図５（ａ））。シート部１３１および係合壁１３２と、バネ１３４とを一体に備えるシェル１３の全体が、ステンレス鋼等の導電性材料から形成されている。
シート部１３１は、長孔１３３の位置と、バネ１３４の周りを除いて、カード２の表面２Ａを覆っている。
【００２２】
さて、カード用コネクタ１は、カード２を排出させるための構造に特徴を有する。
カード用コネクタ１において、スライダ１４、把持部１５、および連結部１６（いずれも図３（ａ）および（ｂ））は、カード２を排出させるための基本的な構成要素である。
【００２３】
〔スライダ〕
図３（ａ）に示すように、スライダ１４は、カード２の後端２Ｂと、ハウジング本体１２の後端壁１２２との間に介在している。
スライダ１４は、ガイドレール１２３，１２３間に配置されている。スライダ１４は、ガイドレール１２３により両側がガイドされながら、挿抜方向に移動可能となっている。
図３（ｂ）に示すように、スライダ１４を前方へと移動させると、カード２がスライダ１４により後方から押されるので、カード２が前方へと引き出される。
スライダ１４は、カード２と同等の厚みに形成されており、カード２と同様にシェル１３により覆われている。
スライダ１４は、カード２の面積よりも面積が小さい小片である。
【００２４】
スライダ１４は、図３（ａ）に示すように、カード２の後端２Ｂと後端壁１２２との間に配置されるスライダ本体１４１と、スライダ本体１４１の両側から前方に向けて突出した突出部１４２とを有している。
図３（ａ）に示すように、スライダ本体１４１の後側の側面が後端壁１２２に突き当てられていると、スライダ１４はそれ以上後方には移動しない。
スライダ本体１４１の奥行き寸法（挿抜方向の寸法）は、筐体３内でカード用コネクタ１に与えられるスペースを考慮して、小さく抑えることができる。
突出部１４２，１４２は、カード２の後端２Ｂから前方に向けて所定の長さだけ、カード２の両側を挟み込んでいる。
スライダ本体１４１から突出部１４２，１４２の一方にかけては、カード２のＣカット部２Ｃの形状に対応するように形成されている。
【００２５】
図３（ａ）に示すようにカード用コネクタ１にカード２が嵌合されているとき、スライダ１４は、コンタクト１１とカード２の端子との接触導通に影響しないように、コンタクト１１に接触していないことが好ましい。
図３（ａ）に示す状態から、図３（ｂ）に示すように突出部１４２の前端１４Ｆがハウジング本体１２のストッパ１２４に突き当たるまで、スライダ１４を移動可能である。図３（ｂ）に、挿抜方向に沿ってスライダ１４を移動させることが可能な範囲であるストローク１４Ｓを示している。スライダ１４が挿抜方向に移動される間、スライダ１４は、カード２と同様に、コンタクト１１の接点１１Ａをスムーズに乗り越える。
【００２６】
〔把持部〕
次に、把持部１５は、図３（ａ）に示すように、カード用コネクタ１の前端に位置しており、カード２を排出させる際にカード用コネクタ１の外部から手で把持される。また、カード２を挿入する際にも把持部１５を把持することができる。
本明細書における「把持部」は、ハウジング１０の開口１０Ａの外側からの操作により、前方に向かう力を加えることのできる構成要素である。
カード用コネクタ１にカード２が嵌合されているとき（図３（ａ））、把持部１５は、スライダ１４との間にカード２を挟んで配置される。
【００２７】
本実施形態では、図２に示すように、把持部１５が電子機器の筐体３の側面３Ａに露出している。指先を把持部１５に掛けて、筐体３の側面３Ａから離れる向き（白抜き矢印の向き）に引っ張ると、開口３０を通じて筐体３の外側へとカード２が引き出される。
【００２８】
把持部１５は、弾性を有する例えばゴム系の絶縁樹脂材料から形成されている。
把持部１５は、筐体３の開口３０を塞ぐ蓋（キャップ）を兼ねている。
把持部１５は、図２に示すように、筐体３の開口３０を塞ぐ前部１５１と、前部１５１の後側に連なる後部１５２とを有している。
【００２９】
前部１５１は、筐体３の開口３０の内側に挿入される。前部１５１の外周部が、筐体３における開口３０の周縁部に密着することで、筐体３に防水性および防塵性が与えられていることが好ましい。
前部１５１は、筐体３の側面３Ａとほぼ面一に配置されている。
前部１５１の左右両端は、筐体３において開口３０の内側に形成された壁３２（図５（ａ））に突き当てられる。
【００３０】
前部１５１よりも厚さおよび横幅共に小さい後部１５２は、図２に示すように、開口３０を通じて筐体３の内側に到達するまで挿入され、カード２の前端２Ｆに対向する。図３（ａ）に示すように、後部１５２とスライダ１４との間に、カード２が配置される。
後部１５２に、カード２の前端２Ｆが挿入される凹部を形成することもできる。
【００３１】
〔連結部〕
次に、図３（ａ）および（ｂ）に示すように、連結部１６は、スライダ本体１４１から把持部１５まで延在し、スライダ１４と把持部１５とを連結している。
連結部１６は、長手方向に若干の伸縮性を有していることが好ましい。
また、連結部１６は、柔軟性または可撓性が与えられていることが好ましい。
連結部１６の材料としては、例えば、ポリイミドが好ましい。
連結部１６は、絶縁性の樹脂材料から偏平な帯状に形成されている。
【００３２】
連結部１６により把持部１５とスライダ１４とが連結されているので、図３（ｂ）に示すように、前方に向けて把持部１５が引っ張られると、同じ向きにスライダ１４が移動される。このときスライダ１４が挿抜方向に安定して駆動されるように、カード用コネクタ１の横幅方向の中央において、挿抜方向に沿って連結部１６が配置されていることが好ましい。また、同じ理由により、連結部１６の横幅が広いことも好ましい。
２つ以上の連結部１６によりスライダ１４と把持部１５とを連結することもできる。連結部１６は、スライダ１４の横幅方向の中心線に対して左右対称に配置されることが好ましい。
【００３３】
図３（ｂ）に示すように、連結部１６の後端部１６Ｂは、スライダ本体１４１に形成された溝１４１Ａに差し込まれた状態で、スライダ１４に結合されている。連結部１６の前端部１６Ｆは、把持部１５の後部１５２に形成された溝１５２Ａに差し込まれた状態で、把持部１５に結合されている。
スライダ１４と連結部１６との結合部、および把持部１５と連結部１６との結合部の形態は、上記に限らず、適宜に構成することができる。スライダ１４の溝１４１Ａや把持部１５の溝１５２Ａは必ずしも必要ではない。
【００３４】
連結部１６の後端部１６Ｂとスライダ本体１４１、そして連結部１６の前端部１６Ｆと把持部１５の後部１５２は、それぞれ、適宜な方法により接合することができる。接合方法としては、例えば、熱溶着や接着を挙げることができる。
その他、把持部１５を射出成形する際に金型に連結部１６を配置するインサート成形により、連結部１６の前端部１６Ｆを把持部１５に一体化することもできる。同様に、スライダ１４を射出成形する際の連結部１６のインサート成形も可能である。
さらには、射出成形により把持部１５と連結部１６とを一体成形することもできる。
【００３５】
カード２を間に挟んで離間しているスライダ本体１４１と把持部１５とを連結する必要上、連結部１６には、最低限、挿抜方向におけるカード２の長さＬ（図３（ｂ））に相当する長さが必要である。
本実施形態の連結部１６の後端部１６Ｂから前端部１６Ｆまでの長さは、連結部１６に最低限必要な長さよりも長い。カード２の長さＬに対して余裕があり、柔軟性または可撓性を有していることから、連結部１６は、例えば図２に示すように、カード用コネクタ１と筐体３の上壁３１との間で湾曲している。
【００３６】
図３（ａ）および（ｂ）にはシェル１３が示されていないが、図１に示すように、ハウジング本体１２にシェル１３が組み付けられることが好ましい。
連結部１６は、図１および図４に示すように、長孔１３３を通じてシェル１３の内側からシェル１３の外側へと延出する。長孔１３３は、連結部１６の幅よりも大きい幅に形成されている。
【００３７】
図１および図４に示すように、長孔１３３の内側には、連結部１６の後端部１６Ｂとスライダ本体１４１との結合部１６Ｃが位置している。長孔１３３は、スライダ１４のストローク１４Ｓ（図３（ｂ））に対応する長さを有しているので、長孔１３３に連結部１６が通されていても、ストローク１４Ｓの全体に亘りスライダ１４の移動が可能である。
スライダ１４の移動に伴い、連結部１６の後端部１６Ｂとスライダ１４との結合部１６Ｃが、長孔１３３の後端１３３Ｂから前端１３３Ｆまでの間で移動する。
【００３８】
上記のようにスライダ１４の移動を許容しつつ、シェル１３の長孔１３３に連結部１６を通すことで、カード２を収容するハウジング１０内の空間の外側に連結部１６を配置している。
【００３９】
〔組み立て例〕
本実施形態のカード用コネクタ１を組み立てる手順の一例について説明する。
コンタクト１１が設けられたハウジング本体１２のプレート部１２１上に、スライダ１４を配置する。その状態で、プレート部１２１およびスライダ１４をシェル１３により覆い、シェル１３の係合部１３２Ａをハウジング本体１２の係合突起１２１Ａに係合させる。
また、連結部１６の後端部１６Ｂをシェル１３の長孔１３３を介してスライダ１４の溝１４１Ａに差し込み、スライダ１４に熱溶着する。
そして、連結部１６の前端部１６Ｆを把持部１５に接合することで、連結部１６および把持部１５を一体化する。このとき、連結部１６の長さに余裕があるため、作業がやり易い。
以上により、カード用コネクタ１（図１）が組み立てられる。
【００４０】
〔カードの排出〕
図５（ａ）は、カード用コネクタ１にカード２が嵌合されている状態を示している。この状態から、カード２を筐体３の外部へと排出させる際には、把持部１５を持ち、図５（ｂ）に示すように、前方（白抜き矢印の向きＡ）へと引っ張る。
把持部１５を引っ張ると、連結部１６に張力が生じ、連結部１６により把持部１５に連結されているスライダ１４も前方へと引っ張られて移動する（図３（ｂ））。そうすると、スライダ１４によりカード２が後方から押されるので、突出部１４２，１４２の間とストッパ１２４，１２４の間とをガイドされながらカード２が前方へと移動する。スライダ１４の前端１４Ｆがストッパ１２４に突き当てられると、図５（ｂ）に示すように、カード２が開口３０を通じて筐体３の外側へと突出する。ここで、ストッパ１２４にスライダ１４の突出部１４２が突き当たった後、さらに連結部１６が引っ張られたとしても、連結部１６の長さに余裕がある分、連結部１６に過大な張力が作用するのを避けることができる。
【００４１】
その後、図６に示すように、把持部１５を上壁３１側に持ち上げてカード２の前端２Ｆから分離することができる。ここで、連結部１６の伸縮性、そして柔軟性または可撓性、さらに、カード２の挿抜方向の長さＬに対して連結部１６が長いことがそれぞれ寄与することにより、連結部１６を曲げて把持部１５を持ち上げることが可能となる。
把持部１５がカード２から分離されたならば、カード２の前端２Ｆ付近を指でつまんで筐体３の外側へとカード２を抜き取ることができる。
以上により、カード２がカード用コネクタ１から排出される。
【００４２】
カード２が排出された後、連結部１６が垂れ下がったとしても、図４に示すように、収容空間１２Ｓ内のコンタクト１１と、連結部１６との間にはシェル１３が介在しているので、連結部１６がコンタクト１１に干渉しない。つまり、シェル１３により、収容空間１２Ｓと、連結部１６が配置されるスペース（シェル１３と上壁３１との間）とが仕切られている。
【００４３】
把持部１５は、ハウジング本体１２の内側に組み付けられたスライダ１４に連結部１６を介して支持されているため、筐体３から離脱することはない。
本実施形態の帯状の連結部１６には、軸周りにねじれない程度の剛性が与えられているので、把持部１５が回転したりせずに安定して支持される。
【００４４】
〔カードの挿入〕
カード２を筐体３内のカード用コネクタ１に挿入する際には、図６に示すように、把持部１５が筐体３の外に引き出された状態で、筐体３の開口３０に臨むハウジング１０の開口１０Ａからハウジング１０内へとカード２を挿入する。このとき、把持部１５の下側にカード２をくぐらせて筐体３の開口３０およびハウジング１０の開口１０Ａへとアクセスすることができる。
図４に示すように、シェル１３の長孔１３３を通って連結部１６がハウジング１０の外側に配置されているので、連結部１６により妨げられることなくカード２をスムーズに挿入することができる。
カード２の後端２Ｂによりスライダ１４が後方へと少し押されると、スライダ１４に連結されている把持部１５がカード２の前端２Ｆに位置するので（図５（ｂ）に示す状態）、把持部１５をつまんで開口３０内へと押し込むことができる。
カード２が収容空間１２Ｓ内の所定位置まで挿入され、ハウジング１０に嵌合されると、カード２の端子とコンタクト１１とが導通する。
【００４５】
〔本実施形態による主な作用効果〕
以上で説明した本実施形態のカード用コネクタ１によれば、把持部１５を前方へと引っ張る力が連結部１６を介してスライダ１４に伝えられ、スライダ１４によりカード２が同じ向きに押し出されるため、カード２を排出することができる。
カード２を後方から押すスライダ１４は、殆どスペースを取らずにハウジング本体１２に収まりよく組み込まれており、このスライダ１４と、ピン等を用いずに直接指で排出操作を行える把持部１５と、スライダ１４および把持部１５を連結する連結部１６とにより、簡素なカード２の排出機構を実現できる。
本実施形態によれば、力の向きを変換する複雑な機構やピン、トレイ等が必要なく、最小限の構成要素（スライダ１４、把持部１５、および連結部１６）により、カード２を排出させる機能を有するカード用コネクタ１を提供することができる。したがって、カード用コネクタ１のコストを抑えつつ、カード２や電子機器の小型化に対応して、カード用コネクタ１の小型化を促進することができる。
【００４６】
〔本発明の変形例〕
上記以外にも、本発明の主旨を逸脱しない限り、上記実施形態で挙げた構成を取捨選択したり、他の構成に適宜変更することが可能である。
連結部１６は、必ずしも帯状に形成されている必要はなく、適宜な紐状の部材を連結部１６として用いることができる。
【００４７】
また、連結部１６の大部分に高い剛性を持たせつつ、連結部１６の例えば前端部のみに伸縮性や柔軟性、可撓性を与えてもよい。その前端部の変形および変位により、図６に示すようにカード２か引き出された状態で把持部１５を持ち上げ、カード２の前端２Ｆから把持部１５を分離することができる。
【００４８】
シェル１３がなくても連結部１６がカード２やコンタクト１１に干渉するおそれがなければ、シェル１３を省略することができる。
また、カード２の挿入検知用のバネ１３４をシェル１３に形成する必要がなければ、シェル１３を絶縁性の樹脂材料から形成することもできる。
【００４９】
上記実施形態のカード用コネクタ１は、筐体３の側面３Ａの近くに組み込まれており、把持部１５が開口３０の蓋を兼ねているが、本発明のカード用コネクタを組み込む箇所は自由に設計できる。例えば、筐体３内の中央部に本発明のカード用コネクタを組み込むことができる。
その場合は、筐体３に設けられた蓋を開けて把持部１５を露出させ、把持部１５を持って引っ張ることにより、上記実施形態と同様に、カード２を排出させることができる。筐体３あるいはハウジング１０に、把持部１５を保持する保持部が設けられていることが好ましい。
本発明において、ハウジング１０の開口１０Ａが把持部１５により塞がれている必要はない。カード２の前端２Ｆが把持部１５により隠されずに露出していてもよい。カード２を排出させるために把持部１５をハウジング１０の開口１０Ａの外側から触ることができる限り、把持部１５の形態は問わない。
【００５０】
コンタクト１１の位置は、ハウジング本体１２のプレート部１２１の表面には限らない。例えば、後端壁１２２に設けられたコンタクト１１と、カード２の後端２Ｂに設けられた端子とが導通するように構成されていてもよい。
なお、連結部１６の長さはカード２の長さＬと等しくてもよい。
【符号の説明】
【００５１】
１          カード用コネクタ
２          カード
２Ａ        表面
２Ｆ        前端
２Ｂ        後端
２Ｃ        カット部
３          筐体
３Ａ        側面
１０        ハウジング
１０Ａ      開口
１１        コンタクト
１１Ａ      接点
１２        ハウジング本体
１２Ｓ      収容空間
１３        シェル
１４        スライダ
１４Ｆ      前端
１４Ｓ      ストローク
１５        把持部
１６        連結部
１６Ｆ      前端部
１６Ｂ      後端部
１６Ｃ      結合部
２１        ケース
３０        開口（貫通開口）
３１        上壁
１２１      プレート部
１２１Ａ    係合突起
１２２      後端壁
１２３      ガイドレール
１２４      ストッパ
１２５      バネ
１３１      シート部
１３２      係合壁
１３２Ａ    係合部
１３３      長孔（シェル開口）
１３３Ｆ    前端
１３３Ｂ    後端
１３４      バネ
１４１      スライダ本体
１４１Ａ    溝
１４２      突出部
１５１      前部
１５２      後部
１５２Ａ    溝
Ａ          引き出される向き
【図１】
2017091672.tif 000003
【図２】
2017091672.tif 000004
【図３】
2017091672.tif 000005
【図４】
2017091672.tif 000006
【図５】
2017091672.tif 000007
【図６】
2017091672.tif 000008